(57)【要約】      （修正有）【課題】安全に備蓄でき、簡単且つ手軽に使用できて、燃料を無駄なく使い切ることが可能な携帯式調理・加温缶を提供する。【解決手段】点火部３を備えた燃料保持体２を内蔵した缶体であって、その上面をプルトップ手段５で開口可能にした。燃料保持体２は、上部に燃焼室を残して缶体内全体に充填されていて、その全体に燃料としてのジエチレングリコールを含浸すると共に、その底部と缶体の底部との間に着火剤としてのイソパラフィン混合物２ａを保持する繊維状物質であり、点火部３は前記燃料に点火するための手段であって、燃料保持体２の底部から上方に伸びて燃料保持体２の上面４から突出し、毛細管作用によってイソパラフィン混合物２ａを、その上端まで吸い上げて火炎による初期点火を受けさせ、以て、燃料保持体２の上面４においてジエチレングリコールに点火するように構成されている。【選択図】図１
0003110942.tif 000002
【実用新案登録請求の範囲】
【請求項１】
点火部を備えた燃料保持体を内蔵した缶体であって、その上面をプルトップ手段で開口可能にしたことを特徴とする携帯式調理・加温缶。
【請求項２】
点火部を備えた燃料保持体を内蔵した缶体であって、その上面をプルトップ手段で開口可能にすると共に、開缶後保存時に前記上面に被装される蓋を備えていることを特徴とする携帯式調理・加温缶。
【請求項３】
点火部を備えた燃料保持体を内蔵した缶体であって、その上面をプルトップ手段で開口可能にし、
前記点火部を備えた燃料保持体は、上部に燃焼室を残して前記缶体内全体に充填されていて、その全体に燃料としてのジエチレングリコールを含浸すると共に、その底部と前記缶体の底部との間に着火剤としてのイソパラフィン混合物を保持する繊維状物質であり、
前記点火部は前記燃料に点火するための手段であって、前記燃料保持体の底部から上方に伸びて前記燃料保持体の上面から突出し、毛細管作用によって前記イソパラフィン混合物を、その上端まで吸い上げて火炎による初期点火を受けさせ、以て、前記燃料保持体の前記上面において前記ジエチレングリコールに点火するように構成されている携帯式調理・加温缶。
【請求項４】
点火部を備えた燃料保持体を内蔵した缶体であって、その上面をプルトップ手段で開口可能にすると共に、開缶後保存時に前記上面に被装される蓋を備え、
前記点火部を備えた燃料保持体は、上部に燃焼室を残して前記缶体内全体に充填されていて、その全体に燃料としてのジエチレングリコールを含浸すると共に、その底部と前記缶体の底部との間に着火剤としてのイソパラフィン混合物を保持する繊維状物質であり、
前記点火部は前記燃料に点火するための手段であって、前記燃料保持体の底部から上方に伸びて前記燃料保持体の上面から突出し、毛細管作用によって前記イソパラフィン混合物を、その上端まで吸い上げて火炎による初期点火を受けさせ、以て、前記燃料保持体の前記上面において前記ジエチレングリコールに点火するように構成されている携帯式調理・加温缶。
【考案の詳細な説明】
【技術分野】
【０００１】
本考案は、携帯、備蓄に至便で手軽に使用できる、安全な非引火性の液体燃料（例えば、ジエチレングリコール）を燃焼させるのに適した携帯式調理・加温缶に関する。
【背景技術】
【０００２】
携帯式燃料缶は、一般的に使用される加熱手段である。当該手段によって、特に食物（高温度）や、肉汁、スープおよびコーヒー（中温度）等に対して必要とされる加熱が行われる。これらのタイプのバーナ（燃焼缶）が一般的に使用されるのは、主にビュッフェ形式の宴会場や、キャンプ、釣り、その他のアウトドア活動においてであるが、最近は非常時、例えば、地震、台風、その他の自然災害時の備蓄用としての用途もクローズアップされてきている。
【０００３】
このような災害時の備蓄用の場合は、備蓄に安全で、手軽に使用でき、且つ、燃料を無駄なく最後まで使い切ることができることが要請される。
【特許文献１】特許第３５５６１２２号公報
【考案の開示】
【考案が解決しようとする課題】
【０００４】
本考案はかかる要請に応えるためになされたもので、安全に備蓄でき、簡単且つ手軽に使用できて、燃料を無駄なく使い切ることが可能な携帯式調理・加温缶を提供することを課題とする。
【課題を解決するための手段】
【０００５】
上記課題を解決するための請求項１に係る考案は、点火部を備えた燃料保持体を内蔵した缶体であって、その上面をプルトップ手段で開口可能にしたことを特徴とする携帯式調理・加温缶である。
【０００６】
上記課題を解決するための請求項２に係る考案は、点火部を備えた燃料保持体を内蔵した缶体であって、その上面をプルトップ手段で開口可能にすると共に、開缶後保存時に前記上面に被装される蓋を備えていることを特徴とする携帯式調理・加温缶である。
【０００７】
上記いずれの考案においても、前記点火部を備えた燃料保持体は、上部に燃焼室を残して前記缶体内全体に充填されていて、その全体に燃料としてのジエチレングリコールを含浸すると共に、その底部と前記缶体の底部との間に着火剤としてのイソパラフィン混合物を保持する繊維状物質であり、前記点火部は前記燃料に点火するための手段であって、前記燃料保持体の底部から上方に伸びて前記燃料保持体の上面から突出し、毛細管作用によって前記イソパラフィン混合物を、その上端まで吸い上げて火炎による初期点火を受けさせ、以て、前記燃料保持体の前記上面において前記ジエチレングリコールに点火するように構成されている。
【考案の効果】
【０００８】
本考案に係る携帯式調理・加温缶は、プルトップによって上面を開口できるので、非常時等においても何の器具も用いることなく開缶でき、着火するだけで直ちに簡単に使用することができ、また、燃料が残った場合においても、蓋が備わっているので、その蓋をすることによって再利用のために保存しておくことができるので、キャンプ用、レストランにおける調理用等のほか、災害時の備蓄用としても好適なる効果がある。
【考案を実施するための最良の形態】
【０００９】
本考案を実施するための好ましい実施形態につき、添付図面に依拠して説明する。本考案に係る携帯式調理・加温缶１は、点火部３を備えた燃料保持体２を内蔵した缶体であって、その上面４を、プルトップ５によって開口可能にしたものである。
【００１０】
更に好ましくは、その上面４を被覆する蓋６を備える。この蓋６は、一旦開缶後、燃料が残っていて、再度使用する場合に用いるものである。
【００１１】
点火部３を備えた燃料保持体２は、上部に燃焼室を残して前記缶体内全体に充填されていて、その全体に燃料としてのジエチレングリコールを含浸すると共に、その底部と前記缶体の底部との間に着火剤としてのイソパラフィン混合物２ａを保持する繊維状物質であり、前記点火部３は前記燃料に点火するための手段であって、燃料保持体２の底部から上方に伸びて燃料保持体２の上面４から突出し、毛細管作用によって前記イソパラフィン混合物２ａを、その上端まで吸い上げて火炎による初期点火を受けさせ、以て、燃料保持体２の上面４においてジエチレングリコールに点火するように構成されている（特許第３５５６１２２号公報参照）。
【００１２】
上記ジエチレングリコ−ルは、繊維状物質である燃料保持体２の総てのポケット、すなわち全空隙内に充填されて、安定したゲル状の固まりになる。このようにして、ジエチレングリコ−ルとイソパラフイン混合物２ａの双方共に、缶内で自由に移動できないように保持される。このことによって、缶がひっくり返されたり、または逆さにされた場合にも、燃料が零れたり漏れたりすることがないので、備蓄用に好適である。
【００１３】
イソパラフイン混合物２ａは、発火点がジエチレングリコ−ルよりも低い。したがって、マッチまたはライタ−の火を点火部３の露出端部に当てることによって、イソパラフイン混合物２ａに点火することができる。点火後、３０乃至４５秒ほど燃焼を続けると、イソパラフイン混合物２ａの当該燃焼によって充分な熱量が発生するので、燃料保持体２の上面のジエチレングリコ−ルに着火する。ジエチレングリコ−ルが燃焼を始めると、一段と大きな炎が発生して一段と加熱能力が増大する。
【００１４】
燃料保持体２の上部の空隙内の燃料が燃焼するにしたがって、真空効果が発生し、前記真空効果によって、燃料保持体２の残りの部分の空隙内の燃料が、前記繊維状物質を介して上方に吸い上げられ、上記中央開口部に面する上方露出面に達する。引き続き火炎燃焼が継続するので、燃料保持体２の上面へのジエチレングリコ−ルの供給は、燃料が無くなるまで継続する。
【００１５】
この考案をある程度詳細にその最も好ましい実施形態について説明してきたが、この考案の精神と範囲に反することなしに広範に異なる実施形態を構成することができることは明白なので、この考案は添付請求の範囲において限定した以外はその特定の実施形態に制約されるものではない。
【図面の簡単な説明】
【００１６】
【図１】本考案に係る携帯式調理・加温缶の斜視図である。
【図２】本考案に係る携帯式調理・加温缶の縦断面図である。
【符号の説明】
【００１７】
１    調理・加温缶
２    燃料保持体
２ａ  イソパラフィン混合物
３    点火部
４    上面
５    プルトップ
６    蓋
【図１】
0003110942.tif 000003
【図２】
0003110942.tif 000004